【事件の表示】
　特願２０００−１４９９９２「画像形成装置」拒絶査定不服審判事件〔平成１３年１１月２７日出願公開、特開２００１−３２８３２７〕について、次のとおり審決する。
【結　論】
　本件審判の請求は、成り立たない。
【理　由】
１　手続の経緯・本願発明
（１）手続の経緯
　本願は、平成１２年５月２２日の出願であって、平成２１年５月１１日付けで手続補正がなされ、同年６月２６日付けで拒絶査定がなされ、これに対して、同年９月２９日に拒絶査定不服審判が請求されるとともに、同時に手続補正がなされたものである。
　なお、審判請求人は、当審における平成２２年６月１日付けの審尋に対して、同年７月２９日付けで回答書を提出している。
　
（２）本願発明
　本願の請求項に係る発明は、平成２１年９月２９日付け手続補正によって補正された明細書及び図面の記載からみて、その特許請求の範囲の請求項１ないし請求項５に記載された事項によって特定されるとおりのものであると認められるところ、請求項１に係る発明（以下「本願発明」という。）は次のものである。
　
「画像データに基づき画像をプリントアウトするプリント手段と、
　画像形成装置における交換又は着脱可能なユニットの交換又は再装着を検出する検出手段と、
　複数のテスト画像用データの中から前記検出手段によって検出されたユニットの交換又は再装着に対応するものを選択する選択手段と、
　前記選択手段で選択されたテスト画像用データに基づき前記プリント手段を用いてテスト画像をプリントアウトさせるテスト画像作成手段と、
を有し、
　前記検出手段は、ユニットの交換又は再装着が行われたときに交換又は再装着されたユニットの種別を検出し、
　前記選択手段は、複数のテスト画像用データの中から前記検出手段によって検出されたユニットの種別に対応するものを選択することを特徴とする画像形成装置。」
　
　
２　刊行物の記載事項
　原査定の拒絶の理由に引用された「本願の出願前に頒布された刊行物である特開平６−１９９０１７号公報（以下「引用例」という。）」には、図とともに次の事項が記載されている（下線は審決で付した。以下同じ。）。
（１）「【０００１】
【産業上の利用分野】
本発明は、所定のキー操作により予め定められたテストパターンを印字手段によりテープ上に印字するテスト印字機能を備えたテープ印字装置に関する。
…略…
【００１１】
【実施例】以下、本発明を具体化した一実施例を図面を参照して説明する。
【００１２】図１はテープカセット収納部の収納カバーを開けて示すテープ印字装置の平面図である。図１において、
テープ印字装置１には、文字等のキャラクタを複数行に渡って入力し文書データ（テキスト）からなる複数のテキストファイル（以下、ファイルと称する）を作成するための文字入力キー２、各ファイルの印字を指令する印字キー３、テスト印字を実行するためのテスト印字キー４、
及び後述するテープカセット１３を収納するカセット収納部８が配設されている。
【００１３】また、カセット収納部８には、図示しないパルスモータにより回転駆動され、テープカセット１３のリボン巻取スプール２１を回動してサーマルインクリボン１７を巻取るリボン巻取軸９が立設されており、又、その斜め前方（キーボード６側）には、後述するテープ送りモータ４０から適宜の伝達機構を介して回転駆動され、後述するテープ送りローラ２７を回動するためのテープ送りローラ軸１０が立設されている。更に、カセット収納部８の前方には、サーマルインクリボン１７を介して後述するフィルムテープ１５上に印字を行うサーマルヘッド１１が固設されている。尚、
サーマルヘッド１１により本発明の印字手段が構成され
【００１４】また、
カセット収納部８部後方には、テープカセット１３内に収蔵されているフィルムテープ１５等の各種テープ（各テープのテープ幅は１つのテープカセットについては同一のテープ幅を有している）のテープ幅を検出するためのテープ幅検出器Ｋが配設されている。
【００１５】
このテープ幅検出器Ｋは３つのフォトカップラＰ１、Ｐ２、Ｐ３からなり、かかるフォトカップラＰ１、Ｐ２、Ｐ３には、テープカセット１３のカセット収納部８への装着時にテープカセット１３の裏面から突出する判別部材Ｈが挿嵌され判別部材がフォトカップラＰ１、Ｐ２、Ｐ３を選択的に遮断することによりテープカセット１３内に収蔵されているフィルムテープ１５等の各種テープのテープ幅を検出するものである。
【００１６】尚、このテープ幅検出器Ｋにより本発明のテープ幅検出手段が構成される。かかるテープ幅検出器Ｋの構成については特願平３−２１７８６０号願書及び特願平３−２１７８６０号願書の添付した明細書及び図面に記載されたものと同一の構成を有するので、ここではその詳細な説明は省略する。
【００１７】また、かかるカセット収納部８は、テープ印字装置１の後方に回動可能に枢支された収納カバー１２により開閉され、開状態で
テープカセット１３の交換等が行われる。
【００１８】次に、テープカセット１３の構成について図２を参照して説明する。図２はカセット収納部８にテープカセット１３を収納した状態を示す平面図（テープカセット１３は上ケースを除いて示す）である。
…略…
【００２５】また、圧接ローラ２６及びテープ送りローラ２７は、これらが協働してサーマルヘッド１１によりサーマルインクリボン１７を介して文字等が印字されたフィルムテープ１５に対し両面粘着テープ１９の粘着剤面を圧接し、最終的にテープＴを作成すると共に矢印Ｊ方向にテープＴを送り出すものである。尚、作成されたテープＴはテープカセット１３の左方向側に配設されたカッタ（図示せず）により切断される。かかるカッタの構成については公知のものであるので、ここでは説明を省略する。
【００２６】次に、このように構成されるテープ印字装置１の制御系について図３を参照して説明する。図３はテープ印字装置１の制御ブロック図を示し、制御装置３０を核として構成されている。制御装置３０はＣＰＵ３１、ＲＯＭ３２、ＣＧＲＯＭ３３、及び、ＲＡＭ３４からなり、これらはバス３５を介して相互に接続されているとともに、入出力インターフェイス３６にも接続されている。
【００２７】ここに、ＲＯＭ３２は各種のプログラムを記憶させておくものであり、後述するテキスト編集制御プログラム、テキスト印字制御プログラム、テスト印字制御プログラム、その他テープ印字装置１の制御上必要な各種プログラムが記憶されている。そして、ＣＰＵ３１はかかるＲＯＭ３２に記憶されている各種プログラムに基づいて各種の演算を行うものである。
【００２８】また、ＲＯＭ３２には、図４に示すように、３種類のテスト印字用のテストパターンデータＴＤ１、ＴＤ２、ＴＤ３を記憶するテストパターンデータ記憶領域３２Ａを備えている。尚、第１テストパターンデータＴＤ１は
６ｍｍまたは９ｍｍ
【００２９】また、ＣＧＲＯＭ３３には、キーボード６から入力される各キャラクタコードに対応して、表示のためのドットパターンデータと、印字のためにキャラクタの輪郭線を規定する輪郭線データ（アウトラインフォントデータ）がが記憶されており、各キャラクタのキャラクタコードに対応してドットパターンデータがＣＧＲＯＭ３３から読み出されて液晶ディスプレイ７に表示されるとともに、印字の際にはアウトラインフォントデータが読み出されて後述する展開バッファ３４Ｂ上にてドットパターンデータに展開されるものである。
【００３０】ＲＡＭ３４はＣＰＵ３１により演算された各種の演算結果を一時的に記憶させておくためのものであり、かかるＲＡＭ３４には図３に示すように各種のメモリが設けられている。
【００３１】図３において、
テキストメモリ３４Ａはキーボード６から入力されたキャラクタに対応するコードデータを文書データとして順次記憶していくものであり、また、展開バッファ３４Ｂは、テキストメモリ３４Ａに記憶されているキャラクタコードデータに対応してＣＧＲＯＭ３３から読み出されたアウトラインフォントデータが各キャラクタのパターン領域内でドットパターンデータに展開されて記憶されるものであり、更に、印字バッファ３４Ｃは印字時に展開バッファ３４Ｂに記憶されたドットパターンデータが転送され記憶されるものであり、サーマルヘッド１１はかかる印字バッファ３４Ｃに記憶されているドットパターンデータに従って印字を行うものである。
【００３２】ここで、図３に戻って制御ブロック図の説明を続けると、キーボード６が入出力インターフェイス３６を介して、また、液晶ディスプレイ７、ディスプレイコントローラ３７が入出力インターフェイス３６を介してそれぞれ制御装置３０に接続されており、キーボード６からキャラクタが入力された場合には前記したキャラクタデータがテキストメモリ３４Ａに順次記憶されていくとともに、ドットパターン発生制御プログラム及び表示制御プログラムに基づいてキーボード６を介して入力されたキャラクタに対応するドットパターンが液晶ディスプレイ７上に表示される。
【００３３】また、サーマルヘッド１１は駆動回路３８を介して駆動され、前記展開バッファ３４Ｂから印字バッファ３４Ｃに転送されたドットパターンデータの印字を行い、これと同期してテープ送りモータ４０は駆動回路３９を介してテープＴを送り制御するものである。
【００３４】次に、前記のように構成されたテープ印字装置１の動作について図５乃至図７を参照して説明する。
【００３５】図５はテキスト編集制御プログラムのフローチャートを示し、先ず、ステップ（以下、Ｓと略記する）１においてＲＡＭ３４における各メモリのクリア等のイニシャライズ処理（初期化）が行われる。
【００３６】次に、キーボード６のいずれかのキーからキー入力があるか否かが判断され（Ｓ２）、キー入力が無い場合（Ｓ２：Ｎｏ）には、キー入力があるまで待機する（Ｓ２）一方、キー入力があった場合（Ｓ２：Ｙｅｓ）には、そのキー入力が文字入力キー２からのものであるか否かが判断される（Ｓ３）。文字入力キー２からのキー入力である場合（Ｓ３：Ｙｅｓ）には、文字入力キー２からのキー入力に応じたキャラクタコードをテキストメモリ３４Ａに格納するテキスト編集処理が実行され（Ｓ４）、その後、Ｓ２に戻る。
【００３７】一方、キー入力が文字入力キー２からのものでない場合（Ｓ３：Ｎｏ）には、そのキー入力がテスト印字キー４からのものであるか否かが判断される（Ｓ５）。テスト印字キー４以外のキーからのキー入力である場合（Ｓ５：Ｎｏ）には、入力されたキーに応じた処理が実行される（Ｓ６）。テスト印字キーからのものである場合（Ｓ５：Ｙｅｓ）には、図６に示すテスト印字処置が実行される（Ｓ７）。
【００３８】
このテスト印字処理が実行されると、先ず、テープ幅検出器Ｋから入力したフォトカップラＰ１、Ｐ２、Ｐ３から発せられる「Ｈ」信号と「Ｌ」信号との組合せに基づいて、テープカセット１３がテープ印字装置１のカセット収納部８に装着されているか否かが判断される（Ｓ１１）。
【００３９】一方、
テープカセット１３が装着されていれば（Ｓ１１：Ｙｅｓ）、テープ幅検出器Ｋからの信号に基づいて、カセット収納部８に装着されているテープカセット１３内に収蔵されているテープのテープ幅を判断し、そのテープ幅に関するテープ幅データをテープ幅メモリ３４Ｄに記憶する（Ｓ１３）。
【００４０】そして、テキストメモリ３４Ａ内にテキストデータが記憶されているか否かを判断し（Ｓ１４）、テキストメモリ３４Ａ内にテキストデータが記憶されていれば、前記エラー処理が実行され（Ｓ１２）、このテスト印字処理を終了して、図５に示すＳ２の処理に戻る。
【００４１】一方、テキストメモリ３４Ａ内にテキストデータが全く記憶されていなければ（Ｓ１４：Ｎｏ）、
テープ幅メモリ３４Ｄに記憶されているテープ幅データからテープカセット１３に収蔵されているテープの幅が２４ｍｍか否かが判断される（Ｓ１５）。テープ幅データが２４ｍｍを示しているならば（Ｓ１５：Ｙｅｓ）、ＲＯＭ３２のテストパターンデータ記憶領域３２Ａから第３テストパターンデータＴＤ３が読み出されてテキストバッファ３４Ａに記憶される（Ｓ１６）。そして、このテキストバッファ３４Ａに記憶された第３テストパターンデータＴＤ３に基づいて、印字処理が実行される（Ｓ２０）。
【００４２】この
印字処理は、テキストバッファ３４Ａから順次キャラクタコードが読み出されるとともに、読み出されたキャラクタコードに対応するアウトラインフォントデータがＣＧＲＯＭ３３から読み出され、そのアウトラインフォントデータが展開バッファ３４Ｂ上でドットパターンデータに展開され、さらに、展開されたドットパターンデータが印字バッファ３４Ｃに記憶される。そして、印字バッファ３４Ｃに記憶されたドットパターンデータに基づいて、サーマルヘッド１１の発熱素子が駆動されるとともに、テープ送りモータ４０が駆動されフィルムテープ１５にキャラクタがドットにて印字される
【００４３】上記印字処理による印字結果を図７（ｃ）に示す。図７（ｃ）に示すテストパターンからテープ印字装置１では２４ｍｍの幅を有するテープを使用すると、最大７行の印字が行えることや、２４ｍｍのテープに印字可能な最大サイズの文字の大きさ等を確認することができる。また、印字可能な英文書体や実行可能な修飾も確認することができる。
【００４４】
テープ幅メモリ３４Ｄに記憶されているテープ幅データが１２ｍｍまたは１８ｍｍを示す場合（Ｓ１５：Ｎｏ、Ｓ１７：Ｙｅｓ）には、前記テストパターンデータ記憶領域３２Ａから第２テストパターンデータＴＤ２が読み出されてテキストバッファ３４Ａに記憶され（Ｓ１８）、この第２テストパターンデータＴＤ２に基づいて、前記印字処理が実行される（Ｓ２０）。
【００４５】図７（ｂ）に上記印字処理において、１２ｍｍの幅を有するテープに第２テストパターンデータＴＤ２に基づいて行ったテストパターンの印字結果を示す。図７（ｂ）に示すテストパターンからテープ印字装置１では１２ｍｍの幅を有するテープを使用すると、最大２行までの印字が行えることや、１２ｍｍのテープに印字可能な最大サイズの文字の大きさ等を確認することができる。また、２４ｍｍのテープの場合と同様に、印字可能な英文書体や実行可能な修飾も確認することができる。更に、このテープ印字装置１ではバーコードを印字することができるが、２４ｍｍのテープを使用してバーコードを印字した場合、バーコードの下にそのバーコードにかかる数値データを印字できることが確認できる。
【００４６】尚、図示しないが１８ｍｍの幅を有するテープには前記１２ｍｍのテープと同一のテストパターンが印字される。
【００４７】
テープ幅メモリ３４Ｄに記憶されているテープ幅データが６ｍｍまたは９ｍｍ（審決注：「１２ｍｍ」は、【００２８】の「６ｍｍまたは９ｍｍ」の記載からみて、「９ｍｍ」の明らかな誤記であるので訂正して摘記した。）を示す場合（Ｓ１５・Ｓ１７：Ｎｏ）には、前記テストパターンデータ記憶領域３２Ａから第１テストパターンデータＴＤ１が読み出されてテキストバッファ３４Ａに記憶され（Ｓ１９）、この第１テストパターンデータＴＤ１に基づいて、前記印字処理が実行される（Ｓ２０）。
【００４８】図７（ａ）に上記印字処理において、６ｍｍの幅を有するテープに第１テストパターンデータＴＤ１に基づいて行ったテストパターンの印字結果を示す。図７（ａ）に示すテストパターンからテープ印字装置１では６ｍｍの幅を有するテープを使用すると、１行しか印字できないことや、６ｍｍのテープに印字可能な最大サイズの文字の大きさ等を確認することができる。また、２４ｍｍのテープの場合と同様に、印字可能な英文書体や実行可能な修飾も確認することができる。更に、６ｍｍのテープを使用してバーコードを印字した場合、バーコードの下にそのバーコードにかかる数値データを印字できないことが確認できる。
【００４９】尚、図示しないが１８ｍｍの幅を有するテープには前記１２ｍｍのテープと同一のテストパターンが印字される。
【００５０】Ｓ２０において、テキストメモリ３４Ａに記憶されている全てのデータに対して印字処理が実行されると、テスト印字処置が終了して、図５に示すＳ２の処理に戻る。
【００５１】尚、制御装置３０が前記Ｓ１５〜Ｓ２０の処理を実行することにより本発明の印字制御手段が構成される。
【００５２】以上詳述したように、本実施例のテープ印字装置１では、テスト印字キー４を入力すると、テープカセット１３がカセット収納部８に装着され、且つ、テキストメモリ３４Ａにデータが記憶されていないと、ＲＯＭ３２のテストパターンデータ記憶領域３２Ａに記憶されている複数のテストパターンデータから、テープカセット１３に収蔵されているテープの幅に応じたテストパターンデータが読み出されて、そのテストパターンデータに基づいてテストパターンがテープ上に印字される。
【００５３】従って、使用者はテープ印字装置に装着されているテープカセット１３内のテープの幅またはテープの種類を意識しなくてもテスト印字を実行することができる。
【００５４】また、このテストパターンを見ることにより、現在テープ印字装置に装着されているテープカセット１３内のテープに印字可能な最大行数、最大文字サイズ、印字可能な英文書体や実行可能な修飾、バーコードの下にそのバーコードにかかる数値データが印字可能か否か等を極めて容易に確認することができる。
【００５５】尚、本発明は上記一実施例に限定されるものではなく、その趣旨を逸脱しない範囲において種々の変更を加えることができる。
…略…
【００５９】
【発明の効果】以上説明したことから明かなように、本発明のテープ印字装置によれば、装着されているテープの幅の種類に拘らずテストパターンを印字することができ、そのテープ幅で印字できる文字や修飾を容易に確認できる。」
　
（２）上記（１）からみて、引用例には、
「所定のキー操作により予め定められたテストパターンを印字手段によりテープ上に印字するテスト印字機能を備え、
　文字等のキャラクタを複数行に渡って入力しテキスト文書データからなる複数のテキストファイルを作成するための文字入力キー、各テキストファイルの印字を指令する印字キー、テスト印字を実行するためのテスト印字キー及び交換が行われるテープカセットを収納するカセット収納部が配設されてなり、
　キーボードから入力されたキャラクタに対応するコードデータをテキスト文書データとして順次記憶していくテキストメモリ、該テキストメモリに記憶されているキャラクタコードデータに対応してＣＧＲＯＭから読み出されたアウトラインフォントデータを各キャラクタのパターン領域内でドットパターンデータに展開して記憶する展開バッファ、印字時に該展開バッファに記憶されたドットパターンデータを転送し記憶する印字バッファ、及び前記印字手段を構成するサーマルヘッドを備え、
　前記カセット収納部後方には、前記テープカセット内に収蔵されているフィルムテープのテープ幅を検出するためのテープ幅検出器Ｋが配設されており、
　該テープ幅検出器Ｋは３つのフォトカップラＰ１、Ｐ２、Ｐ３からなり、
　該フォトカップラＰ１、Ｐ２、Ｐ３には、前記テープカセットの前記カセット収納部への装着時に前記テープカセットの裏面から突出する判別部材Ｈが挿嵌されており、
　前記テープ幅検出器Ｋは、前記判別部材Ｈが前記フォトカップラＰ１、Ｐ２、Ｐ３を選択的に遮断することにより前記テープカセット内に収蔵されている前記フィルムテープのテープ幅を検出するものであり、
　前記サーマルヘッドが、前記印字バッファに記憶されているドットパターンデータに従って印字を行うテープ印字装置であって、
　テスト印字処理が実行されると、先ず、前記テープ幅検出器Ｋから入力した前記フォトカップラＰ１、Ｐ２、Ｐ３から発せられる『Ｈ』信号と『Ｌ』信号との組合せに基づいて、前記テープカセットが前記カセット収納部に装着されているか否かを判断し、
　前記テープカセットが装着されていれば、前記テープ幅検出器Ｋからの信号に基づいて、前記カセット収納部に装着されている前記テープカセット内に収蔵されている前記テープのテープ幅を判断し、そのテープ幅に関するテープ幅データをテープ幅メモリに記憶し、
　該テープ幅メモリに記憶されているテープ幅データから前記テープカセットに収蔵されている前記テープの幅が２４ｍｍか否かを判断し、前記テープ幅データが２４ｍｍを示しているならば、ＲＯＭのテストパターンデータ記憶領域から第３テストパターンデータを読み出して前記テキストメモリに記憶し、該テキストメモリから順次キャラクタコードを読み出すとともに、読み出されたキャラクタコードに対応するアウトラインフォントデータを前記ＣＧＲＯＭから読み出し、そのアウトラインフォントデータを前記展開バッファ上でドットパターンデータに展開し、さらに、展開されたドットパターンデータを前記印字バッファに記憶し、該印字バッファに記憶されたドットパターンデータに基づいて、前記サーマルヘッドの発熱素子を駆動するともに、テープ送りモータを駆動して前記フィルムテープにキャラクタをドットにて印字する印字処理を、前記テキストメモリに記憶された第３テストパターンデータに基づいて実行し、
　前記テープ幅メモリに記憶されているテープ幅データが１２ｍｍまたは１８ｍｍを示す場合には、前記テストパターンデータ記憶領域から第２テストパターンデータを読み出して前記テキストメモリに記憶し、この第２テストパターンデータに基づいて、前記印字処理を実行し、
　前記テープ幅メモリに記憶されているテープ幅データが６ｍｍまたは９ｍｍを示す場合には、前記テストパターンデータ記憶領域から第１テストパターンデータを読み出して前記テキストメモリに記憶し、この第１テストパターンデータに基づいて、前記印字処理を実行するテープ印字装置。」の発明（以下「引用発明」という。）が記載されていると認められる。
　
３　対比・判断
　本願発明と引用発明を対比する。
（１）引用発明の「印字」、「印字手段を構成するサーマルヘッド」、「交換が行われるテープカセット」及び「テープ幅検出器Ｋ」は、それぞれ、本願発明の「プリントアウト」、「プリント手段」、「交換又は着脱可能なユニット」及び「検出手段」に相当する。
　
（２）引用発明において、テープ印字装置は、キーボードから入力されたキャラクタに対応するコードデータをテキスト文書データとして順次記憶していくテキストメモリ、該テキストメモリに記憶されているキャラクタコードデータに対応してＣＧＲＯＭから読み出されたアウトラインフォントデータを各キャラクタのパターン領域内でドットパターンデータに展開して記憶する展開バッファ、印字時に該展開バッファに記憶されたドットパターンデータを転送し記憶する印字バッファ、及び前記印字手段を構成するサーマルヘッドを備え、前記サーマルヘッドが、前記印字バッファに記憶されているドットパターンデータに従って印字を行うのであるから、引用発明の「プリント手段（印字手段を構成するサーマルヘッド）」は、テキストメモリに順次記憶された複数のキャラクタコードデータからなるテキスト文書データについて、その各キャラクタコードデータに対応してＣＧＲＯＭから読み出されたアウトラインフォントデータがドットパターンデータに展開されたものを「プリントアウト（印字）」することになるところ、この「プリント手段」が「プリントアウト」する「ドットパターンデータに展開されたもの」は、元は「テキストメモリに順次記憶された複数のキャラクタコードデータからなるテキスト文書データ」であるから、「複数の展開されたドットパターンデータからなる文書データ」とでもいえるものであり、これは、前記「プリント手段」からみれば、白黒２値のビットマップ画像データとでもいえるものである。
　してみると、引用発明の上記「ドットパターンデータに展開されたもの」は、本願発明の「画像データ」に相当するといえ、引用発明の「プリント手段が『画像データ（ドットパターンデータに展開されたもの）』をプリントアウト」すると「画像」ができることになるから、引用発明の「プリント手段」と本願発明の「プリント手段」とは「画像データに基づき画像をプリントアウトする」点で一致する。
　
（３）引用発明の「テープ印字装置」は、「画像データ（ドットパターンデータ）」に従って「プリントアウト（印字）」を行うものであるから、本願発明の「画像形成装置」に相当するといえる。
　
（４）引用発明の「画像形成装置（テープ印字装置）」は、テスト印字処理が実行されると、ＲＯＭのテストパターンデータ記憶領域からテープカセットに収蔵されているテープの幅に応じた第１ないし第３のうちのいずれかのテストパターンデータを読み出して前記テキストメモリに記憶し、該テキストメモリから順次キャラクタコードを読み出すとともに、読み出されたキャラクタコードに対応するアウトラインフォントデータを前記ＣＧＲＯＭから読み出し、そのアウトラインフォントデータを前記展開バッファ上でドットパターンデータに展開し、さらに、展開されたドットパターンデータを前記印字バッファに記憶し、該印字バッファに記憶されたドットパターンデータに基づいて、前記「プリント手段（サーマルヘッド）」の発熱素子を駆動するともに、テープ送りモータを駆動して前記フィルムテープにキャラクタをドットにて印字する印字処理を前記テキストメモリに記憶されたいずれかのテストパターンデータに基づいて実行するものであるから、引用発明の「『テスト印字処理』において、いずれかの『テストパターンデータ』が記憶されたテキストメモリから順次読み出されたキャラクタコードに対応するアウトラインフォントデータを展開した『ドットパターンデータ』」は、上記（２）での検討と同様に、本願発明の「テスト画像用データ」に相当するといえる。
　そうすると、引用発明の「『テスト印字処理』において、テキストメモリに記憶されたいずれかの『テストパターンデータ』に基づいて『印字処理』を実行した結果『ドットにて印字』されたもの」は、本願発明の「テスト画像」に相当し、引用発明の「プリント手段」と本願発明の「プリント手段」とは「テスト画像用データに基づきテスト画像をプリントアウト」する点で一致する。
　
（５）引用発明の「画像形成装置（テープ印字装置）」は、「検出手段（テープ幅検出器Ｋ）」から入力した前記フォトカップラＰ１、Ｐ２、Ｐ３から発せられる「Ｈ」信号と「Ｌ」信号との組合せに基づいて、前記「交換又は着脱可能なユニット（テープカセット）」が「画像形成装置（テープ印字装置）」に配設されているカセット収納部に「装着」されているか否かを判断し、前記「交換又は着脱可能なユニット」が「装着」されていれば、前記「検出手段」からの信号に基づいて、前記カセット収納部に装着されている前記「交換又は着脱可能なユニット」内に収蔵されている前記テープのテープ幅を判断し、そのテープ幅に関するテープ幅データをテープ幅メモリに記憶し、該テープ幅メモリに記憶されているテープ幅データから前記テープカセットに収蔵されている前記テープの幅が「２４ｍｍ」か否か、「１２ｍｍまたは１８ｍｍ」か否か、「６ｍｍまたは９ｍｍ」か否かを判断し、前記テープ幅データが示すテープ幅に応じて、ＲＯＭのテストパターンデータ記憶領域から第１ないし第３のいずれかのテストパターンデータを読み出して前記テキストメモリに記憶し、前記テキストメモリに記憶されたいずれかのテストパターンデータに基づいてアウトラインフォントデータを「テスト画像用データ（ドットパターンデータ）」に展開し、展開された「テスト画像用データ」を前記印字バッファに記憶し、該印字バッファに記憶された「テスト画像用データ」に基づいて、前記「プリント手段（サーマルヘッド）」の発熱素子を駆動するともに、テープ送りモータを駆動して前記フィルムテープにキャラクタをドットにて印字する印字処理を実行するものであるから、引用発明の「検出手段」と本願発明の「検出手段」とは、「画像形成装置における交換又は着脱可能なユニットの交換又は再装着を検出する」点及び「ユニットの交換又は再装着が行われたときに交換又は再装着されたユニットの種別を検出」する点で一致し、引用発明の「装着」及び上記「『交換又は着脱可能なユニット』内に収蔵されている『テープのテープ幅』の『２４ｍｍ』か『１２ｍｍまたは１８ｍｍ』かあるいは『６ｍｍまたは９ｍｍ』か」が、それぞれ、本願発明の「交換又は再装着」及び「ユニットの種別」に相当する。
　してみると、引用発明の上記「テープ幅メモリに記憶されているテープ幅データから前記テープカセットに収蔵されている前記テープの幅が２４ｍｍか否か、１２ｍｍまたは１８ｍｍか否か、６ｍｍまたは９ｍｍか否かを判断し、前記テープ幅データが示すテープ幅に応じて、ＲＯＭのテストパターンデータ記憶領域から第１ないし第３のいずれかのテストパターンデータを読み出して前記テキストメモリに記憶し、前記テキストメモリに記憶されたいずれかのテストパターンデータに基づいてアウトラインフォントデータをテスト画像用データに展開し、展開されたテスト画像用データを前記印字バッファに記憶」するという技術事項は、「第１ないし第３のいずれかのテストパターンデータ」を展開したいずれかの「テスト画像用データ」を選択する手段であるといえるから、この「選択する手段」が本願発明の「選択手段」に相当し、引用発明の「選択手段」と本願発明の「選択手段」とは「複数のテスト画像用データの中から前記検出手段によって検出されたユニットの交換又は再装着に対応するものを選択する」点及び「複数のテスト画像用データの中から前記検出手段によって検出されたユニットの種別に対応するものを選択する」点で一致する。
　そうすると、引用発明の「画像形成装置（テープ印字装置）」は、「選択手段」で選択され、テキストメモリに記憶されたいずれかの「テスト画像用データ」に基づいて、前記「プリント手段（サーマルヘッド）」に「テスト画像をプリントアウト」させていることになるから、引用発明の「画像形成装置」は、本願発明の「前記選択手段で選択されたテスト画像用データに基づき前記プリント手段を用いてテスト画像をプリントアウトさせるテスト画像作成手段」に相当する技術事項を有していることになる。
　
（６）上記（１）ないし（５）によれば、本願発明と引用発明は、
「画像データに基づき画像をプリントアウトするプリント手段と、
　画像形成装置における交換又は着脱可能なユニットの交換又は再装着を検出する検出手段と、
　複数のテスト画像用データの中から前記検出手段によって検出されたユニットの交換又は再装着に対応するものを選択する選択手段と、
　前記選択手段で選択されたテスト画像用データに基づき前記プリント手段を用いてテスト画像をプリントアウトさせるテスト画像作成手段と、
を有し、
　前記検出手段は、ユニットの交換又は再装着が行われたときに交換又は再装着されたユニットの種別を検出し、
　前記選択手段は、複数のテスト画像用データの中から前記検出手段によって検出されたユニットの種別に対応するものを選択する画像形成装置。」である点で一致し、相違するところはない。
　
（７）したがって、本願発明と引用発明は同一の発明であるから、本願発明は、引用例に記載された発明であり、本願の出願前に頒布された刊行物に記載された発明である。
　
　なお、原査定の拒絶の理由は、特許法第２９条第１項第３号に該当するというものではないが、審判請求人は、審判請求書において、本願発明と上記引用例とを対比し、容易性のみならず、同一性についても検討していることは明らかである。
　
４　むすび 
　本願発明は、以上のとおり、本願の出願前に頒布された刊行物に記載された発明であるから、特許法第２９条第１項第３号の規定に該当し特許を受けることができない。
　よって、結論のとおり審決する。